(57)【特許請求の範囲】
【請求項１】
第１エレベーター制御盤と、
前記第１エレベーター制御盤と通信が可能な第１監視装置と、
第２エレベーター制御盤と、
前記第２エレベーター制御盤と通信が可能な第２監視装置と、
を備え、
前記第１監視装置は、
監視センターと通信する第１通信回路と、
前記第１通信回路を制御し、前記第１通信回路に電力を供給する第１制御回路と、
前記第１エレベーター制御盤からの電力を前記第１制御回路に供給する第１電源回路と、
を備え、
前記第２監視装置は、
第２制御回路と、
前記第２エレベーター制御盤からの電力を前記第２制御回路に供給する第２電源回路と、
を備え、
前記第１制御回路と前記第２制御回路とは、前記第１制御回路に情報を送信することができるように通信線によって接続され、
前記第１電源回路から前記第１制御回路に電力が供給されなくなると、前記第２エレベーター制御盤からの電力が前記第２電源回路から前記第１制御回路に供給される監視システム。
【請求項２】
前記第１電源回路は、
前記第１エレベーター制御盤からの交流電圧を直流電圧に変換する第１変圧器と、
アノードが前記第１変圧器に接続され、カソードが前記第１制御回路に接続された第１ダイオードと、
を備え、
前記第２電源回路は、
前記第２エレベーター制御盤からの交流電圧を直流電圧に変換する第２変圧器と、
アノードが前記第２変圧器に接続され、カソードが前記第１ダイオードのカソードに接続された第２ダイオードと、
を備えた請求項１に記載の監視システム。
【請求項３】
前記第１電源回路は、
前記第１エレベーター制御盤からの交流電圧を直流電圧に変換する第１ＵＰＳと、
アノードが前記第１ＵＰＳに接続され、カソードが前記第１制御回路に接続された第１ダイオードと、
を備え、
前記第２電源回路は、
前記第２エレベーター制御盤からの交流電圧を直流電圧に変換する第２ＵＰＳと、
アノードが前記第２ＵＰＳに接続され、カソードが前記第１ダイオードのカソードに接続された第２ダイオードと、
を備えた請求項１に記載の監視システム。
【請求項４】
前記第２監視装置は、前記監視センターと通信する第２通信回路を更に備え、
前記第２制御回路は、前記第２通信回路を制御し、前記第２通信回路に電力を供給する請求項１から請求項３の何れか一項に記載の監視システム。
【請求項５】
第３エレベーター制御盤と、
前記第３エレベーター制御盤と通信が可能な第３監視装置と、
を更に備え、
前記第３監視装置は、
第３制御回路と、
前記第３エレベーター制御盤からの電力を前記第３制御回路に供給する第３電源回路と、
を備え、
前記第１制御回路と前記第２制御回路と前記第３制御回路とは、前記第１制御回路に情報を送信することができるように通信線によって接続された請求項１から請求項４の何れか一項に記載の監視システム。
【請求項６】
前記第３電源回路は、
前記第３エレベーター制御盤からの交流電圧を直流電圧に変換する第３変圧器と、
アノードが前記第３変圧器に接続され、カソードが前記第１ダイオードのカソードに接続された第３ダイオードと、
を備えた請求項２に従属する請求項５に記載の監視システム。
【請求項７】
前記第３電源回路は、
前記第３エレベーター制御盤からの交流電圧を直流電圧に変換する第３ＵＰＳと、
アノードが前記第３ＵＰＳに接続され、カソードが前記第１ダイオードのカソードに接続された第３ダイオードと、
を備えた請求項３に従属する請求項５に記載の監視システム。
【請求項８】
前記第３監視装置は、前記監視センターと通信する第３通信回路を更に備え、
前記第３制御回路は、前記第３通信回路を制御し、前記第３通信回路に電力を供給する請求項５から請求項７の何れか一項に記載の監視システム。
【請求項９】
第１エレベーター制御盤と、
前記第１エレベーター制御盤と通信が可能な第１監視装置と、
第２エレベーター制御盤と、
前記第２エレベーター制御盤と通信が可能な第２監視装置と、
を備え、
前記第１監視装置は、
監視センターと通信する第１通信回路と、
前記第１通信回路を制御し、前記第１通信回路に電力を供給する第１制御回路と、
前記第１エレベーター制御盤からの電力を前記第１制御回路に供給する第１電源回路と、
を備え、
前記第２監視装置は、
前記監視センターと通信する第２通信回路と、
前記第２通信回路を制御し、前記第２通信回路に電力を供給する第２制御回路と、
前記第２エレベーター制御盤からの電力を前記第２制御回路に供給する第２電源回路と、
を備え、
前記第１制御回路と前記第２制御回路とは、前記第１制御回路に情報を送信することができるように通信線によって接続された監視システム。
【請求項１０】
前記第１監視装置は、第１蓄電池を更に備え、
前記第１電源回路は、前記第１エレベーター制御盤からの交流電圧を直流電圧に変換する第１変圧器を備え、
前記第１電源回路から前記第１制御回路に電力が供給されなければ、前記第１蓄電池から前記第１制御回路に電力が供給され、
前記第２監視装置は、第２蓄電池を更に備え、
前記第２電源回路は、前記第２エレベーター制御盤からの交流電圧を直流電圧に変換する第２変圧器を備え、
前記第２電源回路から前記第２制御回路に電力が供給されなければ、前記第２蓄電池から前記第２制御回路に電力が供給される請求項９に記載の監視システム。
【請求項１１】
前記第１電源回路は、前記第１エレベーター制御盤からの交流電圧を直流電圧に変換する第１ＵＰＳを備え、
前記第２電源回路は、前記第２エレベーター制御盤からの交流電圧を直流電圧に変換する第２ＵＰＳを備えた請求項９に記載の監視システム。
【請求項１２】
第３エレベーター制御盤と、
前記第３エレベーター制御盤と通信が可能な第３監視装置と、
を更に備え、
前記第３監視装置は、
前記監視センターと通信する第３通信回路と、
前記第３通信回路を制御し、前記第３通信回路に電力を供給する第３制御回路と、
前記第３エレベーター制御盤からの電力を前記第３制御回路に供給する第３電源回路と、
を備え、
前記第１制御回路と前記第２制御回路と前記第３制御回路とは、前記第１制御回路に情報を送信することができるように通信線によって接続された請求項９から請求項１１の何れか一項に記載の監視システム。
【請求項１３】
前記第３監視装置は、第３蓄電池を更に備え、
前記第３電源回路は、前記第３エレベーター制御盤からの交流電圧を直流電圧に変換する第３変圧器を備え、
前記第３電源回路から前記第３制御回路に電力が供給されなければ、前記第３蓄電池から前記第３制御回路に電力が供給される請求項１２に記載の監視システム。
【請求項１４】
前記第３電源回路は、前記第３エレベーター制御盤からの交流電圧を直流電圧に変換する第３ＵＰＳを備えた請求項１２に記載の監視システム。
【発明の詳細な説明】
【技術分野】
【０００１】
この発明は、監視センターと通信可能な監視システムに関する。
【背景技術】
【０００２】
特許文献１に、複数台のエレベーター装置を備えた監視システムが記載されている。特許文献１に記載された監視システムは、監視センターと通信するための通信装置を備える。この監視システムでは、各エレベーター装置に関する情報が通信装置を介して監視センターに送信される。
【先行技術文献】
【特許文献】
【０００３】
【特許文献１】日本特開２００７−１７１２号公報
【発明の概要】
【発明が解決しようとする課題】
【０００４】
従来の監視システムでは、エレベーター装置に対する電源、即ちエレベーター制御盤に対する電源とは別に、通信装置に対する電源を用意する必要があった。【０００５】
この発明は、上述のような課題を解決するためになされた。この発明の目的は、通信用の回路のためだけに必要な電源を用意する必要がない監視システムを提供することである。
【課題を解決するための手段】
【０００６】
この発明に係る監視システムは、第１エレベーター制御盤と、第１エレベーター制御盤と通信が可能な第１監視装置と、第２エレベーター制御盤と、第２エレベーター制御盤と通信が可能な第２監視装置と、を備える。第１監視装置は、監視センターと通信する第１通信回路と、第１通信回路を制御し、第１通信回路に電力を供給する第１制御回路と、第１エレベーター制御盤からの電力を第１制御回路に供給する第１電源回路と、を備える。第２監視装置は、第２制御回路と、第２エレベーター制御盤からの電力を第２制御回路に供給する第２電源回路と、を備える。第１制御回路と第２制御回路とは、第１制御回路に情報を送信することができるように通信線によって接続される。第１電源回路から第１制御回路に電力が供給されなくなると、第２エレベーター制御盤からの電力が第２電源回路から第１制御回路に供給される。
【発明の効果】
【０００７】
この発明に係る監視システムでは、第１エレベーター制御盤からの電力が第１通信回路に供給される。この発明に係る監視システムであれば、通信用の回路のためだけに必要な電源を用意する必要がない。
【図面の簡単な説明】
【０００８】
【図１】この発明の実施の形態１における監視システムの例を示す図である。
【図２】この発明の実施の形態２における監視システムの例を示す図である。
【図３】この発明の実施の形態３における監視システムの例を示す図である。
【図４】監視装置を交換する手順を示すフローチャートである。
【図５】監視装置を交換する手順を説明するための図である。
【図６】監視装置を交換する手順を説明するための図である。
【図７】この発明の実施の形態５における監視システムの例を示す図である。
【発明を実施するための形態】
【０００９】
添付の図面を参照し、本発明を説明する。重複する説明は、適宜簡略化或いは省略する。各図において、同一の符号は同一の部分又は相当する部分を示す。
【００１０】
実施の形態１．
図１は、この発明の実施の形態１における監視システム１の例を示す図である。図１は、監視システム１が３台のエレベーター装置を備える例を示す。例えば、監視システム１は、監視するエレベーター装置としてＡ号機、Ｂ号機及びＣ号機を備える。監視システム１が備えるエレベーター装置の台数は３台に限定されない。例えば、監視システム１は２台のエレベーター装置を備えても良い。監視システム１は４台以上のエレベーター装置を備えても良い。本実施の形態に示す例では、監視システム１は、例えばエレベーター制御盤２、エレベーター制御盤３、エレベーター制御盤４、監視装置５、監視装置６及び監視装置７を備える。
【００１１】
エレベーター制御盤２は、Ａ号機の運転を制御する。例えば、エレベーター制御盤２は、通常運転、診断運転及び管制運転を制御する。監視装置５は、エレベーター制御盤２と対をなす。監視装置５は、Ａ号機を監視する。監視装置５は、エレベーター制御盤２に接続される。例えば、監視装置５は、通信線８によってエレベーター制御盤２に接続される。監視装置５は、エレベーター制御盤２と双方向の通信が可能である。監視装置５は、電源線９によってエレベーター制御盤２に接続される。監視装置５に必要な電力はエレベーター制御盤２から供給される。
【００１２】
図１等では、通信線を破線で示す。また、電源線を実線で示す。
【００１３】
エレベーター制御盤２は、例えば制御回路１０及びスイッチ１１を備える。通常運転、診断運転及び管制運転の制御は、制御回路１０によって行われる。制御回路１０は、各運転において様々な情報を検出する。例えば、制御回路１０は、閉じ込めが発生したことを検出する。制御回路１０は、機器に異常が発生したことを検出する。通信線８は、制御回路１０に接続される。制御回路１０は、検出した情報を通信線８を介して監視装置５に送信する。
【００１４】
スイッチ１１は、電源線９に接続される。スイッチ１１が閉じていれば、エレベーター制御盤２から監視装置５に電力が供給される。スイッチ１１が開放していれば、エレベーター制御盤２から監視装置５に電力は供給されない。スイッチ１１は、例えばＡ号機の保守が行われる時に保守員によって開放される。
【００１５】
監視装置５は、例えば電源回路１２、制御回路１３、通信回路１４及び蓄電池１５を備える。
【００１６】
電源回路１２は、エレベーター制御盤２からの電力を制御回路１３に供給する。電源線９は、電源回路１２に接続される。電源回路１２は、例えばスイッチ１６、変圧器１７及びダイオード１８を備える。変圧器１７は、エレベーター制御盤２からの交流電圧を直流電圧に変換する。変圧器１７は、スイッチ１６を介して電源線９に接続される。ダイオード１８は、変圧器１７と制御回路１３との間に接続される。例えば、ダイオード１８のアノードは変圧器１７に接続される。ダイオード１８のカソードは制御回路１３に接続される。
【００１７】
制御回路１３は、Ａ号機の監視に必要な制御を行う。例えば、通信線８は、制御回路１３に接続される。制御回路１０から送信された情報は、制御回路１３によって受信される。制御回路１３は、受信した情報をメモリ（図示せず）に記憶させる。例えば、保守員は、専用の装置を監視装置５に接続することにより、上記メモリに保存された情報を取り出すことができる。
【００１８】
通信回路１４は、監視センター（図示せず）と通信を行う。監視センターは、例えばエレベーター装置の保守を行う保守会社に備えられる。監視センターは、エレベーター装置が設置されているビルに備えられても良い。例えば、監視センターに、監視システム１からの情報及び他の監視システムからの情報が集約される。
【００１９】
通信回路１４は、通信線１９によって制御回路１３に接続される。制御回路１３は、通信回路１４を制御する。例えば、制御回路１３は、通信回路１４に、エレベーター制御盤２等から受信した情報を監視センターに送信させる。通信回路１４は、電源線２０によって制御回路１３に接続される。通信回路１４に必要な電力は、制御回路１３から供給される。
【００２０】
蓄電池１５は、非常時に制御回路１３に電力を供給する。例えば、停電が発生すると、蓄電池１５から制御回路１３に電力が供給される。かかる場合、制御回路１３は、蓄電池１５からの電力を電源線２０を介して通信回路１４に供給する。
【００２１】
エレベーター制御盤３は、Ｂ号機の運転を制御する。例えば、エレベーター制御盤３は、通常運転、診断運転及び管制運転を制御する。監視装置６は、エレベーター制御盤３と対をなす。監視装置６は、Ｂ号機を監視する。監視装置６は、エレベーター制御盤３に接続される。例えば、監視装置６は、通信線２１によってエレベーター制御盤３に接続される。監視装置６は、エレベーター制御盤３と双方向の通信が可能である。監視装置６は、電源線２２によってエレベーター制御盤３に接続される。監視装置６に必要な電力はエレベーター制御盤３から供給される。
【００２２】
エレベーター制御盤３は、例えば制御回路２３及びスイッチ２４を備える。通常運転、診断運転及び管制運転の制御は、制御回路２３によって行われる。制御回路２３は、各運転において様々な情報を検出する。例えば、制御回路２３は、閉じ込めが発生したことを検出する。制御回路２３は、機器に異常が発生したことを検出する。通信線２１は、制御回路２３に接続される。制御回路２３は、検出した情報を通信線２１を介して監視装置６に送信する。
【００２３】
スイッチ２４は、電源線２２に接続される。スイッチ２４が閉じていれば、エレベーター制御盤３から監視装置６に電力が供給される。スイッチ２４が開放していれば、エレベーター制御盤３から監視装置６に電力は供給されない。スイッチ２４は、例えばＢ号機の保守が行われる時に保守員によって開放される。
【００２４】
監視装置６は、例えば電源回路２５、制御回路２６及び蓄電池２７を備える。
【００２５】
電源回路２５は、エレベーター制御盤３からの電力を制御回路２６に供給する。電源線２２は、電源回路２５に接続される。電源回路２５は、例えばスイッチ２８、変圧器２９及びダイオード３０を備える。変圧器２９は、エレベーター制御盤３からの交流電圧を直流電圧に変換する。変圧器２９は、スイッチ２８を介して電源線２２に接続される。ダイオード３０は、変圧器２９と制御回路１３との間に接続される。ダイオード３０のアノードは変圧器２９に接続される。図１に示す例では、ダイオード３０のアノードは、変圧器２９と制御回路２６とを繋ぐ電源線に接続される。ダイオード３０のカソードは、ダイオード１８のカソードに接続される。図１に示す例では、ダイオード３０のカソードは、ダイオード１８と制御回路１３とを繋ぐ電源線にスイッチ３１を介して接続される。
【００２６】
制御回路２６は、Ｂ号機の監視に必要な制御を行う。例えば、通信線２１は、制御回路２６に接続される。制御回路２３から送信された情報は、制御回路２６によって受信される。制御回路２６は、受信した情報をメモリ（図示せず）に記憶させる。例えば、保守員は、専用の装置を監視装置６に接続することにより、上記メモリに保存された情報を取り出すことができる。
【００２７】
制御回路２６は、通信線３２によって監視装置５の制御回路１３に接続される。制御回路１３と制御回路２６とは、双方向の通信が可能である。例えば、制御回路２６は、エレベーター制御盤３から受信した情報を通信線３２を介して制御回路１３に送信する。制御回路１３は、監視センターから受信した情報を通信線３２を介して制御回路２６に送信する。
【００２８】
蓄電池２７は、非常時に制御回路２６に電力を供給する。例えば、停電が発生すると、蓄電池２７から制御回路２６に電力が供給される。
【００２９】
エレベーター制御盤４は、Ｃ号機の運転を制御する。例えば、エレベーター制御盤４は、通常運転、診断運転及び管制運転を制御する。監視装置７は、エレベーター制御盤４と対をなす。監視装置７は、Ｃ号機を監視する。監視装置７は、エレベーター制御盤４に接続される。例えば、監視装置７は、通信線３３によってエレベーター制御盤４に接続される。監視装置７は、エレベーター制御盤４と双方向の通信が可能である。監視装置７は、電源線３４によってエレベーター制御盤４に接続される。監視装置７に必要な電力はエレベーター制御盤４から供給される。
【００３０】
エレベーター制御盤４は、例えば制御回路３５及びスイッチ３６を備える。通常運転、診断運転及び管制運転の制御は、制御回路３５によって行われる。制御回路３５は、各運転において様々な情報を検出する。例えば、制御回路３５は、閉じ込めが発生したことを検出する。制御回路３５は、機器に異常が発生したことを検出する。通信線３３は、制御回路３５に接続される。制御回路３５は、検出した情報を通信線３３を介して監視装置７に送信する。
【００３１】
スイッチ３６は、電源線３４に接続される。スイッチ３６が閉じていれば、エレベーター制御盤４から監視装置７に電力が供給される。スイッチ３６が開放していれば、エレベーター制御盤４から監視装置７に電力は供給されない。スイッチ３６は、例えばＣ号機の保守が行われる時に保守員によって開放される。
【００３２】
監視装置７は、例えば電源回路３７、制御回路３８及び蓄電池３９を備える。
【００３３】
電源回路３７は、エレベーター制御盤４からの電力を制御回路３８に供給する。電源線３４は、電源回路３７に接続される。電源回路３７は、例えばスイッチ４０及び変圧器４１を備える。変圧器４１は、エレベーター制御盤４からの交流電圧を直流電圧に変換する。変圧器４１は、スイッチ４０を介して電源線３４に接続される。
【００３４】
制御回路３８は、Ｃ号機の監視に必要な制御を行う。例えば、通信線３３は、制御回路３８に接続される。制御回路３５から送信された情報は、制御回路３８によって受信される。制御回路３８は、受信した情報をメモリ（図示せず）に記憶させる。例えば、保守員は、専用の装置を監視装置７に接続することにより、上記メモリに保存された情報を取り出すことができる。
【００３５】
制御回路３８は、通信線４２によって監視装置６の制御回路２６に接続される。制御回路２６と制御回路３８とは、双方向の通信が可能である。
【００３６】
制御回路３８は、通信線４３によって監視装置５の制御回路１３に接続される。制御回路１３と制御回路３８とは、双方向の通信が可能である。例えば、制御回路３８は、エレベーター制御盤４から受信した情報を通信線４３を介して制御回路１３に送信する。制御回路１３は、監視センターから受信した情報を通信線４３を介して制御回路３８に送信する。
【００３７】
監視装置５の制御回路１３と監視装置６の制御回路２６と監視装置７の制御回路３８とは、通信線３２、通信線４２及び通信線４３によってリング型に接続される。監視装置５、監視装置６及び監視装置７の通信方向は一方向に制限されても良い。なお、制御回路１３、制御回路２６及び制御回路３８を接続する方法はリング型に限定されない。例えば、制御回路１３、制御回路２６及び制御回路３８を通信線によってメッシュ型或いはスター型に接続しても良い。制御回路１３、制御回路２６及び制御回路３８は、制御回路１３に情報を送信することができるように通信線によって接続されていれば良い。
【００３８】
蓄電池３９は、非常時に制御回路３８に電力を供給する。例えば、停電が発生すると、蓄電池３９から制御回路３８に電力が供給される。
【００３９】
本実施の形態に示す例であれば、監視センターと通信するための通信回路１４に対して、エレベーター制御盤２からの電力を供給することができる。このため、通信回路１４のためだけに必要な電源を用意する必要がない。
【００４０】
なお、通信回路１４に対してエレベーター制御盤２からの電力しか供給できなければ、エレベーター制御盤２の電源が落ちた時に通信回路１４に電力が供給されなくなってしまう。即ち、エレベーター制御盤２の電源が落ちると、監視センターとの通信を行うことができない。例えば、保守員は、Ａ号機の保守を行う時にスイッチ１１を切ってエレベーター制御盤２の電源を落とす。
【００４１】
本実施の形態に示す例では、エレベーター制御盤２の電源が落ちた時でも通信回路１４に電力が供給される。即ち、電源回路１２から制御回路１３に電力が供給されなくなると、エレベーター制御盤３からの電力が電源回路２５から制御回路１３に供給される。このため、通信回路１４にも通信に必要な電力が供給される。監視システム１は、Ａ号機の保守が行われる時でも監視センターと通信することができる。
【００４２】
本実施の形態に示す例では、例えば、変圧器２９として変圧器１７と同じ変圧器が使用される。ダイオード３０としてダイオード１８と同じダイオードが使用される。ダイオード３０とダイオード１８との間には、監視装置５と監視装置６とを繋ぐ電源線４４が存在する。エレベーター制御盤２の電源が落ちていなければ、電源線４４による電圧降下により、電源回路１２からの電力が制御回路１３に優先的に供給される。電源回路１２から制御回路１３に電力が供給されなくなると、電源回路２５からの電力が制御回路１３に供給される。
【００４３】
また、電源回路１２及び電源回路２５の双方から制御回路１３に電力が供給されなくなると、蓄電池１５から制御回路１３に電力が供給される。例えば、停電が発生すると、蓄電池１５からの電力が制御回路１３に供給される。同様に、電源回路２５から制御回路２６に電力が供給されなくなると、蓄電池２７から制御回路２６に電力が供給される。電源回路３７から制御回路３８に電力が供給されなくなると、蓄電池３９から制御回路３８に電力が供給される。
【００４４】
本実施の形態に示す例では、監視システム１が３台のエレベーター装置を備える。監視システム１が２台のエレベーター装置を備える場合は、図１に示す例からエレベーター制御盤４及び監視装置７を削除すれば良い。かかる場合、通信線４２及び通信線４３は不要である。
【００４５】
監視システム１が４台以上のエレベーター装置を備える場合は、監視システム１が複数組のエレベーター制御盤４と監視装置７とを備えれば良い。即ち、監視システム１は、複数のエレベーター制御盤４を備える。監視システム１は、エレベーター制御盤４と同じ数の監視装置７を備える。監視装置７は、エレベーター制御盤４のそれぞれに１台ずつ接続される。各監視装置７では、電源回路３７が、対をなすエレベーター制御盤４からの電力を制御回路３８に供給する。制御回路１３と制御回路２６と制御回路３８のそれぞれとは、制御回路１３に情報を送信することができるように通信線によって例えばリング型に接続される。
【００４６】
実施の形態２．
図２は、この発明の実施の形態２における監視システム１の例を示す図である。図２は、監視システム１が３台のエレベーター装置を備える例を示す。監視システム１が備えるエレベーター装置の台数は３台に限定されない。本実施の形態では、実施の形態１に示す例と相違する点について詳しく説明する。以下の実施の形態では、既に説明した事項についてはその説明を適宜省略する。監視システム１は、例えばエレベーター制御盤２、エレベーター制御盤３、エレベーター制御盤４、監視装置５、監視装置６及び監視装置７を備える。
【００４７】
本実施の形態に示す例では、監視装置５は、例えば電源回路１２、制御回路１３及び通信回路１４を備える。
【００４８】
電源回路１２は、エレベーター制御盤２からの電力を制御回路１３に供給する。電源回路１２は、例えばスイッチ１６、ＵＰＳ４５及びダイオード１８を備える。ＵＰＳ４５は、無停電電源装置（Ｕｎｉｎｔｅｒｒｕｐｔｉｂｌｅ  Ｐｏｗｅｒ  Ｓｕｐｐｌｙ）の略である。ＵＰＳ４５は、エレベーター制御盤２からの交流電圧を直流電圧に変換する。ＵＰＳ４５は、電力の供給が途切れても、一定時間であれば外部に電力を供給し続けることができる。このため、本実施の形態に示す例では、監視装置５は蓄電池１５を備えていない。
【００４９】
ＵＰＳ４５は、スイッチ１６を介して電源線９に接続される。ダイオード１８は、ＵＰＳ４５と制御回路１３との間に接続される。例えば、ダイオード１８のアノードはＵＰＳ４５に接続される。ダイオード１８のカソードは制御回路１３に接続される。制御回路１３は、通信回路１４を制御する。通信回路１４に必要な電力は、制御回路１３から供給される。
【００５０】
監視装置６は、例えば電源回路２５及び制御回路２６を備える。
【００５１】
電源回路２５は、エレベーター制御盤３からの電力を制御回路２６に供給する。電源回路２５は、例えばスイッチ２８、ＵＰＳ４６及びダイオード３０を備える。電源回路２５がＵＰＳ４６を備えるため、監視装置６は蓄電池２７を備えていない。ＵＰＳ４６は、エレベーター制御盤３からの交流電圧を直流電圧に変換する。
【００５２】
ＵＰＳ４６は、スイッチ２８を介して電源線２２に接続される。ダイオード３０は、ＵＰＳ４６と制御回路１３との間に接続される。ダイオード３０のアノードはＵＰＳ４６に接続される。図２に示す例では、ダイオード３０のアノードは、ＵＰＳ４６と制御回路２６とを繋ぐ電源線に接続される。ダイオード３０のカソードは、ダイオード１８のカソードに接続される。図２に示す例では、ダイオード３０のカソードは、ダイオード１８と制御回路１３とを繋ぐ電源線にスイッチ３１及びスイッチ４７を介して接続される。
【００５３】
監視装置７は、例えば電源回路３７及び制御回路３８を備える。
【００５４】
電源回路３７は、エレベーター制御盤４からの電力を制御回路３８に供給する。電源回路３７は、例えばスイッチ４０及びＵＰＳ４８を備える。電源回路３７がＵＰＳ４８を備えるため、監視装置７は蓄電池３９を備えていない。ＵＰＳ４８は、エレベーター制御盤４からの交流電圧を直流電圧に変換する。ＵＰＳ４８は、スイッチ４０を介して電源線３４に接続される。
【００５５】
監視装置５の制御回路１３と監視装置６の制御回路２６と監視装置７の制御回路３８とは、通信線３２、通信線４２及び通信線４３によって例えばリング型に接続される。
【００５６】
図２に示す例であっても、通信回路１４に対してエレベーター制御盤２からの電力を供給することができる。このため、通信回路１４のためだけに必要な電源を用意する必要はない。また、エレベーター制御盤２の電源が落ちた時でも通信回路１４に電力が供給される。即ち、電源回路１２から制御回路１３に電力が供給されなくなると、エレベーター制御盤３からの電力が電源回路２５から制御回路１３に供給される。このため、通信回路１４にも通信に必要な電力が供給される。監視システム１は、Ａ号機の保守が行われる時でも監視センターと通信することができる。
【００５７】
更に、図２に示す例では、電源回路３７がダイオード４９を備える。ダイオード４９は、ＵＰＳ４８と制御回路１３との間に接続される。ダイオード４９のアノードはＵＰＳ４８に接続される。図２に示す例では、ダイオード４９のアノードは、ＵＰＳ４８と制御回路３８とを繋ぐ電源線に接続される。ダイオード４９のカソードは、ダイオード１８のカソードに接続される。図２に示す例では、ダイオード４９のカソードは、ダイオード１８と制御回路１３とを繋ぐ電源線にスイッチ３１及びスイッチ５０を介して接続される。
【００５８】
図２に示す例では、例えば、電源回路１２及び電源回路２５の何れからも制御回路１３に電力が供給されなくなると、エレベーター制御盤４からの電力が電源回路３７から制御回路１３に供給される。このため、エレベーター制御盤２及びエレベーター制御盤３の双方の電源が落ちても、制御回路１３及び通信回路１４に電力を供給することができる。監視センターと通信できなくなる可能性を更に低減することができる。例えば、Ａ号機の保守とＢ号機の保守とが同時に行われても、監視システム１は監視センターと通信することができる。
【００５９】
図２に示す例では、電源回路１２がＵＰＳ４５を備える。このため、エレベーター制御盤２の電源が落ちても、一定時間が過ぎるまでの間は電源回路１２から制御回路１３に電力が供給される。電源回路１２及び電源回路２５からしか制御回路１３に電力を供給することができない場合、例えば、Ａ号機の保守が行われている時に停電が発生すると、停電後すぐに制御回路１３への電力供給が停止してしまう。このため、監視装置の電源回路がＵＰＳを備える場合は、なるべく多くの電源回路から制御回路１３に電力を供給できることが好ましい。
【００６０】
実施の形態１に示す例でも、本実施の形態に示す例のように、電源回路３７から制御回路１３に電力を供給できるようにしても良い。かかる場合、電源回路３７は、スイッチ４０及び変圧器４１に加え、ダイオード４９を備える。ダイオード４９は、変圧器４１と制御回路１３との間に接続される。ダイオード４９のアノードは変圧器４１に接続される。例えば、ダイオード４９のアノードは、変圧器４１と制御回路３８とを繋ぐ電源線に接続される。ダイオード４９のカソードは、ダイオード１８のカソードに接続される。例えば、ダイオード４９のカソードは、ダイオード１８と制御回路１３とを繋ぐ電源線にスイッチ３１及びスイッチ５０を介して接続される。
【００６１】
実施の形態１に示す例において電源回路３７がダイオード４９を備える場合は、電源回路１２、電源回路２５及び電源回路３７の何れからも制御回路１３に電力が供給されなくなると、蓄電池１５から制御回路１３に電力が供給される。
【００６２】
本実施の形態に示す例では、監視システム１が３台のエレベーター装置を備える。監視システム１が２台のエレベーター装置を備える場合は、図２に示す例からエレベーター制御盤４及び監視装置７を削除すれば良い。かかる場合、通信線４２及び通信線４３は不要である。
【００６３】
監視システム１が４台以上のエレベーター装置を備える場合は、監視システム１が複数組のエレベーター制御盤４と監視装置７とを備えれば良い。即ち、監視システム１は、複数のエレベーター制御盤４を備える。監視システム１は、エレベーター制御盤４と同じ数の監視装置７を備える。監視装置７は、エレベーター制御盤４のそれぞれに１台ずつ接続される。各監視装置７では、電源回路３７が、対をなすエレベーター制御盤４からの電力を制御回路３８に供給する。制御回路１３と制御回路２６と制御回路３８のそれぞれとは、制御回路１３に情報を送信することができるように通信線によって例えばリング型に接続される。ダイオード４９は、ＵＰＳ４８と制御回路１３との間に接続される。
【００６４】
本実施の形態及び実施の形態１に示す例において、監視システム１が複数の監視装置７を備える場合は、全ての監視装置７の電源回路３７がダイオード４９を備える必要はない。一部の電源回路３７がダイオード４９を備えても良い。例えば、一台の電源回路３７のみがダイオード４９を備えても良い。
【００６５】
実施の形態３．
図３は、この発明の実施の形態３における監視システム１の例を示す図である。本実施の形態に示す監視システム１は、複数の通信回路を備える点で、実施の形態１或いは実施の形態２に示す例と相違する。上記相違点以外の監視システム１の構成は、実施の形態１或いは実施の形態２で開示された何れの構成を採用しても構わない。本実施の形態では、実施の形態１或いは実施の形態２に示す例と相違する点について詳しく説明する。
【００６６】
図３は、上記相違点以外の監視システム１の構成が図２に示す例と同じである例を示す。監視システム１が備えるエレベーター装置の台数は３台に限定されない。電源回路は変圧器を備えても良いし、ＵＰＳを備えても良い。電源回路３７はダイオード４９を備えていても備えていなくても良い。監視システム１が複数の監視装置７を備える場合は、一部の電源回路３７のみがダイオード４９を備えても良い。
【００６７】
監視システム１は、例えばエレベーター制御盤２、エレベーター制御盤３、エレベーター制御盤４、監視装置５、監視装置６及び監視装置７を備える。監視装置６は、例えば電源回路２５、制御回路２６及び通信回路５１を備える。
【００６８】
電源回路２５は、エレベーター制御盤３からの電力を制御回路２６に供給する。通信回路５１は、監視センターと通信を行う。通信回路５１は、通信線５２によって制御回路２６に接続される。制御回路２６は、通信回路５１を制御する。例えば、制御回路２６は、通信回路５１に、エレベーター制御盤３等から受信した情報を監視センターに送信させる。通信回路５１は、電源線５３によって制御回路２６に接続される。通信回路５１に必要な電力は、制御回路２６から供給される。
【００６９】
通信回路５１は、例えば通信回路１４の予備として備えられる。このため、通信回路１４によって監視センターとの通信が可能であれば、通信回路５１は使用されない。通信回路５１は、例えば、監視装置５の保守が行われる時に使用される。
【００７０】
監視装置７は、例えば電源回路３７、制御回路３８及び通信回路５４を備える。
【００７１】
電源回路３７は、エレベーター制御盤４からの電力を制御回路３８に供給する。通信回路５４は、監視センターと通信を行う。通信回路５４は、通信線５５によって制御回路３８に接続される。制御回路３８は、通信回路５４を制御する。例えば、制御回路３８は、通信回路５４に、エレベーター制御盤４等から受信した情報を監視センターに送信させる。通信回路５４は、電源線５６によって制御回路３８に接続される。通信回路５４に必要な電力は、制御回路３８から供給される。
【００７２】
通信回路５４は、例えば通信回路１４の予備として備えられる。このため、通信回路１４によって監視センターとの通信が可能であれば、通信回路５４は使用されない。通信回路５４は、例えば、監視装置５及び監視装置６の保守が行われる時に使用される。
【００７３】
監視システム１が複数の通信回路を備えていれば、監視装置の保守が行われている間も監視システム１は監視センターと通信することができる。監視システム１が通信回路１４をメインの通信回路として備える場合は、監視システム１は通信回路５１を備え、通信回路５４を備えなくても良い。監視システム１は通信回路５４を備え、通信回路５１を備えなくても良い。監視システム１が通信回路１４以外に複数の通信回路を備える場合は、その複数の通信回路に優先順位を付け、順位が上位のものから使用されるようにすれば良い。
【００７４】
監視システム１が複数の監視装置７を備える場合は、全ての監視装置７が通信回路５４を備える必要はない。一部の監視装置７が通信回路５４を備えても良い。例えば、一台の監視装置７のみが通信回路５４を備えても良い。
【００７５】
実施の形態４．
本実施の形態では、監視装置５を交換する手順について説明する。監視システム１の構成は、実施の形態１から実施の形態３で開示された何れの構成を採用しても良い。図４は、監視装置５を交換する手順を示すフローチャートである。図５及び図６は、監視装置５を交換する手順を説明するための図である。図５は、監視装置５を交換する前の状態を示す。図６は、監視装置５を交換した後の状態を示す。本実施の形態の説明では、交換した後の監視装置には符号の後にＮを付し、交換する前の監視装置と区別する。即ち、交換前の監視装置５は、電源回路１２、制御回路１３及び通信回路１４を備える。交換後の監視装置５Ｎは、電源回路１２Ｎ、制御回路１３Ｎ及び通信回路１４Ｎを備える。
【００７６】
監視装置５を監視装置５Ｎに交換する作業は、例えば、Ａ号機を保守する際に行われる。保守員は、先ずスイッチ１１を開放する（Ｓ１）。これにより、エレベーター制御盤２から監視装置５に電力が供給されなくなる。エレベーター制御盤２から監視装置５への電力供給が遮断されると、監視装置６の電源回路２５から監視装置５の制御回路１３に電力が供給される。通信回路１４には制御回路１３から電力が供給される。
【００７７】
次に、保守員は、監視装置５から電源線９を外す（Ｓ２）。保守員は、監視装置５から外した電源線９を新しい監視装置５Ｎに接続する（Ｓ３）。これにより、電源線９は、監視装置５Ｎの電源回路１２Ｎに電気的に接続される。電源線９を監視装置５Ｎに接続する時、スイッチ１６Ｎは開放している。
【００７８】
次に、保守員は、監視装置５から通信線４３を外す。保守員は、監視装置５から外した通信線４３を監視装置５Ｎに接続する（Ｓ４）。通信線４３は、制御回路１３Ｎに接続される。
【００７９】
次に、保守員は、監視装置５から通信線８を外す。保守員は、監視装置５から外した通信線８を監視装置５Ｎに接続する（Ｓ５）。通信線８は、制御回路１３Ｎに接続される。
【００８０】
次に、保守員は、スイッチ１１を閉じる（Ｓ６）。これにより、エレベーター制御盤２からの電力を監視装置５Ｎの制御回路１３Ｎに供給することが可能な状態になる。保守員は、スイッチ１１を閉じると、監視装置５Ｎのスイッチ１６Ｎを閉じる（Ｓ７）。これにより、エレベーター制御盤２からの電力が電源回路１２Ｎから制御回路１３Ｎに供給される。通信回路１４Ｎには制御回路１３Ｎから電力が供給される。
【００８１】
制御回路１３Ｎは、エレベーター制御盤２から電力が供給されると、監視センターと通信する通信回路を通信回路１４から通信回路１４Ｎに切り換える。
【００８２】
次に、保守員は、スイッチ３１を開放する（Ｓ８）。これにより、監視装置６から監視装置５への電力供給が遮断される。監視装置５には電力が供給されなくなる。
【００８３】
次に、保守員は、監視装置５から通信線３２を外す（Ｓ９）。保守員は、監視装置５から外した通信線３２を監視装置５Ｎに接続する（Ｓ１０）。通信線３２は、制御回路１３Ｎに接続される。
【００８４】
次に、保守員は、スイッチ４７及びスイッチ５０を開放する（Ｓ１１）。保守員は、スイッチ４７及びスイッチ５０を開放すると、監視装置５から電源線５７及び電源線５８を外す（Ｓ１２）。電源線５７は、スイッチ３１とスイッチ４７の間を繋ぐための電源線である。電源線５８は、スイッチ３１とスイッチ５０の間を繋ぐための電源線である。保守員は、監視装置５から外した電源線５７及び電源線５８を監視装置５Ｎに接続する（Ｓ１３）。これにより、電源線５７及び電源線５８は、スイッチ３１Ｎに電気的に接続される。電源線５７及び電源線５８を監視装置５Ｎに接続する時、スイッチ３１Ｎは開放している。
【００８５】
次に、保守員は、スイッチ４７及びスイッチ５０を閉じる（Ｓ１４）。また、保守員は、スイッチ３１Ｎを閉じる（Ｓ１５）。これにより、エレベーター制御盤３からの電力を電源回路２５から制御回路１３Ｎに供給することが可能な状態になる。例えば、電源回路１２Ｎから制御回路１３Ｎに電力が供給されなくなると、エレベーター制御盤３からの電力が電源回路２５から制御回路１３Ｎに供給される。
【００８６】
本実施の形態に示す例であれば、監視装置５から新しい監視装置５Ｎへの交換が行われている間も監視システム１は監視センターと通信することができる。
【００８７】
実施の形態５．
図７は、この発明の実施の形態５における監視システム１の例を示す図である。本実施の形態に示す監視システム１は、複数の通信回路を備える点で、実施の形態１或いは実施の形態２に示す例と相違する。また、本実施の形態に示す監視システム１は、監視装置５の制御回路１３が他の監視装置の制御回路から電力を供給されない点で、実施の形態１から実施の形態３に示す例と相違する。上記相違点以外の監視システム１の構成は、実施の形態１から実施の形態３で開示された何れの構成を採用しても構わない。
【００８８】
監視システム１は、例えばエレベーター制御盤２、エレベーター制御盤３、エレベーター制御盤４、監視装置５、監視装置６及び監視装置７を備える。
【００８９】
監視装置５は、例えば電源回路１２、制御回路１３、通信回路１４及び蓄電池１５を備える。電源回路１２は、エレベーター制御盤２からの電力を制御回路１３に供給する。電源回路１２は、例えばスイッチ１６及び変圧器１７を備える。変圧器１７は、エレベーター制御盤２からの交流電圧を直流電圧に変換する。電源回路１２は、ダイオード１８を備えていない。通信回路１４は、監視センターと通信する。制御回路１３は、通信回路１４を制御する。通信回路１４に必要な電力は、制御回路１３から供給される。蓄電池１５は、電源回路１２から制御回路１３に電力が供給されなくなると、制御回路１３に電力を供給する。
【００９０】
電源回路１２は、ＵＰＳ４５を備えても良い。ＵＰＳ４５は、エレベーター制御盤２からの交流電圧を直流電圧に変換する。電源回路１２がＵＰＳ４５を備える場合、監視装置５は蓄電池１５を備える必要はない。
【００９１】
監視装置６は、例えば電源回路２５、制御回路２６、通信回路５１及び蓄電池２７を備える。電源回路２５は、エレベーター制御盤３からの電力を制御回路２６に供給する。電源回路２５は、例えばスイッチ２８及び変圧器２９を備える。変圧器２９は、エレベーター制御盤３からの交流電圧を直流電圧に変換する。電源回路２５は、ダイオード３０を備えていない。通信回路５１は、監視センターと通信する。制御回路２６は、通信回路５１を制御する。通信回路５１に必要な電力は、制御回路２６から供給される。蓄電池２７は、電源回路２５から制御回路２６に電力が供給されなくなると、制御回路２６に電力を供給する。
【００９２】
電源回路２５は、ＵＰＳ４６を備えても良い。ＵＰＳ４６は、エレベーター制御盤３からの交流電圧を直流電圧に変換する。電源回路２５がＵＰＳ４６を備える場合、監視装置６は蓄電池２７を備える必要はない。
【００９３】
監視装置７は、例えば電源回路３７、制御回路３８、通信回路５４及び蓄電池３９を備える。電源回路３７は、エレベーター制御盤４からの電力を制御回路３８に供給する。電源回路３７は、例えばスイッチ４０及び変圧器４１を備える。変圧器４１は、エレベーター制御盤４からの交流電圧を直流電圧に変換する。電源回路３７は、ダイオード４９を備えていない。通信回路５４は、監視センターと通信する。制御回路３８は、通信回路５４を制御する。通信回路５４に必要な電力は、制御回路３８から供給される。蓄電池３９は、電源回路３７から制御回路３８に電力が供給されなくなると、制御回路３８に電力を供給する。
【００９４】
電源回路３７は、ＵＰＳ４８を備えても良い。ＵＰＳ４８は、エレベーター制御盤４からの交流電圧を直流電圧に変換する。電源回路３７がＵＰＳ４８を備える場合、監視装置７は蓄電池３９を備える必要はない。
【００９５】
監視装置５の制御回路１３と監視装置６の制御回路２６と監視装置７の制御回路３８とは、通信線３２、通信線４２及び通信線４３によって例えばリング型に接続される。監視装置５、監視装置６及び監視装置７の通信方向は一方向に制限されても良い。
【００９６】
本実施の形態に示す例であれば、監視センターと通信するための通信回路１４に対して、エレベーター制御盤２からの電力を供給することができる。このため、通信回路１４のためだけに必要な電源を用意する必要がない。同様に、通信回路５１に対してエレベーター制御盤３からの電力を供給することができる。通信回路５４に対してエレベーター制御盤４からの電力を供給することができる。
【００９７】
図７に示す例では、監視システム１が３台のエレベーター装置を備える。監視システム１が２台のエレベーター装置を備える場合は、図７に示す例からエレベーター制御盤４及び監視装置７を削除すれば良い。かかる場合、通信線４２及び通信線４３は不要である。
【００９８】
監視システム１が４台以上のエレベーター装置を備える場合は、監視システム１が複数組のエレベーター制御盤４と監視装置７とを備えれば良い。即ち、監視システム１は、複数のエレベーター制御盤４を備える。監視システム１は、エレベーター制御盤４と同じ数の監視装置７を備える。監視装置７は、エレベーター制御盤４のそれぞれに１台ずつ接続される。各監視装置７では、電源回路３７が、対をなすエレベーター制御盤４からの電力を制御回路３８に供給する。制御回路１３と制御回路２６と制御回路３８のそれぞれとは、制御回路１３に情報を送信することができるように通信線によって例えばリング型に接続される。
【００９９】
監視システム１が複数の通信回路を備えていれば、監視装置の保守が行われている間も監視システム１は監視センターと通信することができる。監視システム１が通信回路１４をメインの通信回路として備える場合は、監視システム１は通信回路５１を備え、通信回路５４を備えなくても良い。監視システム１は通信回路５４を備え、通信回路５１を備えなくても良い。監視システム１が通信回路１４以外に複数の通信回路を備える場合は、その複数の通信回路に優先順位を付け、順位が上位のものから使用されるようにすれば良い。
【０１００】
監視システム１が複数の監視装置７を備える場合は、全ての監視装置７が通信回路５４を備える必要はない。一部の監視装置７が通信回路５４を備えても良い。例えば、一台の監視装置７のみが通信回路５４を備えても良い。
【産業上の利用可能性】
【０１０１】
この発明に係る監視システムは、監視センターと通信可能なシステムに適用できる。
【符号の説明】
【０１０２】
１  監視システム、  ２  エレベーター制御盤、  ３  エレベーター制御盤、  ４  エレベーター制御盤、  ５  監視装置、  ６  監視装置、  ７  監視装置、  ８  通信線、  ９  電源線、  １０  制御回路、  １１  スイッチ、  １２  電源回路、  １３  制御回路、  １４  通信回路、  １５  蓄電池、  １６  スイッチ、  １７  変圧器、  １８  ダイオード、  １９  通信線、  ２０  電源線、  ２１  通信線、  ２２  電源線、  ２３  制御回路、  ２４  スイッチ、  ２５  電源回路、  ２６  制御回路、  ２７  蓄電池、  ２８  スイッチ、  ２９  変圧器、  ３０  ダイオード、  ３１  スイッチ、  ３２  通信線、  ３３  通信線、  ３４  電源線、  ３５  制御回路、  ３６  スイッチ、  ３７  電源回路、  ３８  制御回路、  ３９  蓄電池、  ４０  スイッチ、  ４１  変圧器、  ４２  通信線、  ４３  通信線、  ４４  電源線、  ４５  ＵＰＳ、  ４６  ＵＰＳ、  ４７  スイッチ、  ４８  ＵＰＳ、  ４９  ダイオード、  ５０  スイッチ、  ５１  通信回路、  ５２  通信線、  ５３  電源線、  ５４  通信回路、  ５５  通信線、  ５６  電源線、  ５７  電源線、  ５８  電源線
【図１】
0006583562.tif 000002
【図２】
0006583562.tif 000003
【図３】
0006583562.tif 000004
【図４】
0006583562.tif 000005
【図５】
0006583562.tif 000006
【図６】
0006583562.tif 000007
【図７】
0006583562.tif 000008